(57)【特許請求の範囲】
【請求項１】
一対の相対向する筒状のコンクリートを打設してなる暗渠であって、
一対の相対向させた前記暗渠の端部の内周面に形成された段差部の端面にそれぞれ配置される締め付け固定用のアンカー部材と、
前記段差部の端面に当てられて前記アンカー部材に固定される可撓止水部材用の取付枠体と、
この取付枠体のコンクリート側の全面に取り付けられるシール材と、
これら一対の暗渠の前記段差部にまたがって配置されゴム・合成樹脂などの弾性体からなる略短筒状に形成され中間部に伸縮部を備えるとともに、この伸縮部に連続して両端部に前記取付枠体に取り付けられる固定フランジ部を備える可撓止水部材と、
前記アンカー部材に前記取付枠体および前記可撓止水部材の固定フランジ部を締め付けることで、前記コンクリートの前記段差部端面と当該取付枠体との間の全面に取り付けた前記シール材に接触面圧を発生させて圧着固定するよう構成したことを特徴とする暗渠の耐水圧可撓継手。
【請求項２】
前記アンカー部材が、前記暗渠のコンクリート打設時に埋設して設けられて構成されることを特徴とする請求項１記載の暗渠の耐水圧可撓継手。
【請求項３】
前記取付枠体が、前記暗渠のコンクリート打設時に前記アンカー部材に前記シール材を介して固定されて構成されることを特徴とする請求項1または２記載の暗渠の耐水圧可撓継手。
【請求項４】
前記取付枠体が当てられる前記一対の相対向させた前記段差部端面を、暗渠内周面に対して垂直面ないし内周側が広く外周側が狭くなる傾斜面で構成してなることを特徴とする請求項１〜３のいずれかに記載の暗渠の耐水圧可撓継手。
【請求項５】
前記取付枠体への前記可撓止水部材の固定フランジ部の取り付けを、当該可撓止水部材の外側に当てられ前記アンカー部材に締め付けられて可撓止水部材の位置決めと抜け出しを防止する押え部が前方に突き出して形成された止水部材押え板を介して行う構成としたことを特徴とする請求項１〜４のいずれかに記載の暗渠の耐水圧可撓継手。
【請求項６】
前記段差部の前記暗渠内周側に、カバー部材を設けてなることを特徴とする請求項1〜５のいずれかに記載の暗渠の耐水圧可撓継手。
【請求項７】
前記シール材が、ゴムなどの弾性材、非加硫ブチルゴムシート、水膨張ゴムのいずれかで構成されることを特徴とする請求項1〜６のいずれかに記載の暗渠の耐水圧可撓継手。
【発明の詳細な説明】
【技術分野】
【０００１】
この発明は、暗渠の耐水圧可撓継手に関し、洞道、上下水道、地下鉄、共同溝等の大深度の暗渠の接続に用いて、高水圧下での止水性を高めることができるようにしたものである。
【背景技術】
【０００２】
従来の暗渠の継手のひとつとして、互いに対向する一対の筒状の暗渠の対向端部に筒状の枠体をそれぞれ碇着させるとともに、ゴム・合成樹脂等の弾性体からなる短筒状に形成した可撓止水部材の両端部を、前記枠体の内周面に水密的に取り付けて地盤の不等沈下に伴なう暗渠の相対変位を吸収させると共に、これらの暗渠間の止水を行なうようにしたものがある。
【０００３】
このような暗渠の継手の一例として、特許文献１に開示されたものがあり、図６に示すように、１対の相対向させた暗渠ａ，ａの端部の内周面に形成された段差部ｂ，ｂに沿ってフランジｈ，ｈおよび端面部ｉ，ｉを備えた枠体ｇ，ｇをそれぞれ碇着させ、この枠体ｇ，ｇの段差部ｂ，ｂに沿うフランジｈ，ｈに跨って、ゴム・合成樹脂等の弾性材からなる短筒形に形成され、かつ中央に内周側に膨出した環状のくびれ部を有し、さらに、このくびれ部の両側から延びるフランジ部ｄ，ｄを有する可撓止水部材ｅをこれらフランジ部ｄ，ｄにおいて固着し、前記段差部ｂ，ｂと前記可撓止水部材ｅとの間に形成された空間部に、この可撓止水部材ｅの軸方向への膨出変形を防止する保護材ｆ，ｆを配設して構成してある。  
なお、ｋは継手の外周側に介在された目地材である。
【特許文献１】特公昭６３−５８９８２号公報
【発明の開示】
【発明が解決しようとする課題】
【０００４】
ところが、このような暗渠の継手は、継手の構成部材を現場の所定位置に設置し、継手の前後をそれぞれ現場にてコンクリートを打設する方法で構築することが一般に行われている。
【０００５】
このため、コンクリートと枠体との間の接触面にコンクリートが十分に充填されない場合やコンクリートと枠体との付着が完全でない場合には、枠体とコンクリートとの接触面を通じて漏水が発生する恐れがあり、特に、高深度の暗渠では、周囲の水圧が高く、一層漏水が発生し易くなるという問題がある。
【０００６】
また、従来の暗渠の継手では、継手構築時に予め取り付ける段差部を形成する枠体のフランジ部が、暗渠の底辺部分において、暗渠の内周面と平行に配置されるため、このフランジ部下面が打設されるコンクリートの上面となり、この部分にエアが溜まり易く、コンクリートと枠体との間に隙間が発生して漏水の原因になり易いという構造上の問題もある。
【０００７】
この発明は、上記従来技術の問題点に鑑みてなされたもので、コンクリートと可撓止水部材を取り付ける枠体との接着面圧を構造上高くすることができ、高水圧下での止水性が高い暗渠の耐水圧可撓継手を提供しようとするものである。
【課題を解決するための手段】
【０００８】
かかる従来技術の課題を解決するこの発明の請求項１記載の暗渠の耐水圧可撓継手は、一対の相対向する筒状のコンクリートを打設してなる暗渠であって、一対の相対向させた前記暗渠の端部の内周面に形成された段差部の端面にそれぞれ配置される締め付け固定用のアンカー部材と、前記段差部の端面に当てられて前記アンカー部材に固定される可撓止水部材用の取付枠体と、この取付枠体のコンクリート側の全面に取り付けられるシール材と、これら一対の暗渠の前記段差部にまたがって配置されゴム・合成樹脂などの弾性体からなる略短筒状に形成され中間部に伸縮部を備えるとともに、この伸縮部に連続して両端部に前記取付枠体に取り付けられる固定フランジ部を備える可撓止水部材と、前記アンカー部材に前記取付枠体および前記可撓止水部材の固定フランジ部を締め付けることで、前記コンクリートの前記段差部端面と当該取付枠体との間の全面に取り付けた前記シール材に接触面圧を発生させて圧着固定するよう構成したことを特徴とするものである。
【０００９】
この暗渠の耐水圧可撓継手によれば、取付枠体を段差部の端面にシール材を全面に取り付けて当てるとともに、この取付枠体に一対の暗渠の段差部にまたがって配置されゴム・合成樹脂などの弾性体可撓止水部材の固定用フランジ部を当てるとともに、取付枠体のコンクリート側の全面のシール材と、取付枠体のコンクリートの反対側の可撓止水部材とをアンカー部材に締め付けることで、取付枠体を挟む両側の接触面圧を高めることができ、高い止水性を確保して耐水圧性を高めることができるようにしている。
【００１０】
これにより、取付枠体の構造上その内側にエア溜まりができることがなく、一層確実に漏水などを防止できるようになる。
【００１１】
また、この発明の請求項２記載の暗渠の耐水圧可撓継手は、請求項１記載の構成に加え、前記アンカー部材が、前記暗渠のコンクリート打設時に埋設して設けられて構成されることを特徴とするものである。
【００１２】
この暗渠の耐水圧可撓継手によれば、アンカー部材が暗渠のコンクリート打設時に埋設して設けられる構成としてあり、アンカー部材をコンクリートの打設時に埋設するだけで型枠などを外すことで、コンクリートの打設によるエア溜まりが生じてもその影響を回避して取付枠体を設置でき、取付枠体の形状によらず可撓止水部材をアンカー部材に締め付けて取付枠体を挟む両側の接触面圧を高め、高い止水性を確保して耐水圧性を高めることができるようになる。
【００１３】
さらに、この発明の請求項３記載の暗渠の耐水圧可撓継手は、請求項1または２記載の構成に加え、前記取付枠体が、前記暗渠のコンクリート打設時に前記アンカー部材に前記シール材を介して固定されて構成されることを特徴とするものである。
【００１４】
この暗渠の耐水圧可撓継手によれば、前記取付枠体が、前記暗渠のコンクリート打設時に前記アンカー部材に前記シール材を介して固定して構成してあり、段差部端面に当てた取付枠体によってその内側にエア溜まりが生じることが防止でき、止水性を確保しながら施工を容易にしている。
【００１５】
また、この発明の請求項４記載の暗渠の耐水圧可撓継手は、請求項１〜３のいずれかに記載の構成に加え、前記取付枠体が当てられる前記一対の相対向させた前記段差部端面を、暗渠内周面に対して垂直面ないし内周側が広く外周側が狭くなる傾斜面で構成してなることを特徴とするものである。
【００１６】
この暗渠の耐水圧可撓継手によれば、取付枠体が当てられる前記一対の相対向させた前記段差部端面を、暗渠内周面に対して垂直面ないし内周側が広く外周側が狭くなる傾斜面で構成してあり、暗渠の底辺部分など取り付け位置にかかわらず、段差部端面に取付枠体の内側へのエア溜まりの発生を抑えることができるようにしている。
【００１７】
さらに、この発明の請求項５記載の暗渠の耐水圧可撓継手は、請求項１〜４のいずれかに記載の構成に加え、前記取付枠体への前記可撓止水部材の固定フランジ部の取り付けを、当該可撓止水部材の外側に当てられ前記アンカー部材に締め付けられて可撓止水部材の位置決めと抜け出しを防止する押え部が前方に突き出して形成された止水部材押え板を介して行う構成としたことを特徴とするものである。
【００１８】
この暗渠の耐水圧可撓継手によれば、前記取付枠体への前記可撓止水部材の固定フランジ部の取り付けを、当該可撓止水部材の外側に当てられ前記アンカー部材に締め付けられて可撓止水部材の位置決めと抜け出しを防止する押え部が前方に突き出して形成された止水部材押え板を介して行う構成としてあり、前方に突き出す押え部が形成された止水部材押え板をアンカー部材に締め付けることで、可撓止水部材の位置決めと抜け出しを防止することができ、直接アンカー部材に締め付ける場合に比べ、ボルト孔の位置合わせの必要もなく可撓止水部材の取り付けを容易にできるようにしている。
【００１９】
また、この発明の請求項６記載の暗渠の耐水圧可撓継手は、請求項1〜５のいずれかに記載の構成に加え、前記段差部の前記暗渠内周側に、カバー部材を設けてなることを特徴とするものである。
【００２０】
この暗渠の耐水圧可撓継手によれば、前記段差部の前記暗渠内周側に、カバー部材を設けるようにしており、暗渠内を流れる液体などをシールして下水道管路などとして使用することもできるようにしている。
【００２１】
さらに、この発明の請求項７記載の暗渠の耐水圧可撓継手は、請求項1〜６のいずれかに記載の構成に加え、前記シール材が、ゴムなどの弾性材、非加硫ブチルゴムシート、水膨張ゴムのいずれかで構成されることを特徴とするものである。
【００２２】
この暗渠の耐水圧可撓継手によれば、前記シール材が、ゴムなどの弾性材、非加硫ブチルゴムシート、水膨張ゴムのいずれかで構成してあり、コンクリートと取付枠体との間の止水性を向上できるようにしている。
【発明の効果】
【００２５】
この発明の請求項１記載の暗渠の耐水圧可撓継手によれば、一対の相対向する筒状のコンクリートを打設してなる暗渠であって、一対の相対向させた前記暗渠の端部の内周面に形成された段差部の端面にそれぞれ配置される締め付け固定用のアンカー部材と、前記段差部の端面に当てられて前記アンカー部材に固定される可撓止水部材用の取付枠体と、この取付枠体のコンクリート側の全面に取り付けられるシール材と、これら一対の暗渠の前記段差部にまたがって配置されゴム・合成樹脂などの弾性体からなる略短筒状に形成され中間部に伸縮部を備えるとともに、この伸縮部に連続して両端部に前記取付枠体に取り付けられる固定フランジ部を備える可撓止水部材と、前記アンカー部材に前記取付枠体および前記可撓止水部材の固定フランジ部を締め付けることで、前記コンクリートの前記段差部端面と当該取付枠体との間の全面に取り付けた前記シール材に接触面圧を発生させて圧着固定するよう構成したので、取付枠体を段差部の端面にシール材を全面に取り付けて当てるとともに、この取付枠体に一対の暗渠の段差部にまたがって配置されゴム・合成樹脂などの弾性体可撓止水部材の固定用フランジ部を当ててボルトなどで取付枠体のコンクリート側の全面のシール材と、取付枠体のコンクリートの反対側の可撓止水部材とをアンカー部材に締め付けることで、取付枠体を挟む両側の接触面圧を高めることができ、高い止水性を確保して耐水圧性を高めることができる。
【００２６】
これにより、取付枠体の構造上その内側にエア溜まりができることがなく、一層確実に漏水などを防止することができる。
【００２７】
また、この発明の請求項２記載の暗渠の耐水圧可撓継手によれば、アンカー部材が暗渠のコンクリート打設時に埋設して設けられる構成としたので、アンカー部材をコンクリートの打設時に埋設するだけで型枠などを外すことで、コンクリートの打設によるエア溜まりが生じてもその影響を回避して取付枠体を設置することができ、取付枠体の形状によらず可撓止水部材をアンカー部材に締め付けて取付枠体を挟む両側の接触面圧を高め、高い止水性を確保して耐水圧性を高めることができる。
【００２８】
さらに、この発明の請求項３記載の暗渠の耐水圧可撓継手によれば、前記取付枠体を、前記暗渠のコンクリート打設時に前記アンカー部材に前記シール材を介して固定して構成したので、段差部端面に当てた取付枠体によってその内側にエア溜まりが生じることが防止でき、止水性を確保しながら施工を容易にすることができる。
【００２９】
また、この発明の請求項４記載の暗渠の耐水圧可撓継手によれば、取付枠体が当てられる前記一対の相対向させた前記段差部端面を、暗渠内周面に対して垂直面ないし内周側が広く外周側が狭くなる傾斜面で構成したので、暗渠の底辺部分など取り付け位置にかかわらず、段差部端面に取付枠体の内側へのエア溜まりの発生を抑えることができる。
【００３０】
さらに、この発明の請求項５記載の暗渠の耐水圧可撓継手によれば、前記取付枠体への前記可撓止水部材の固定フランジ部の取り付けを、当該可撓止水部材の外側に当てられ前記アンカー部材に締め付けられて可撓止水部材の位置決めと抜け出しを防止する押え部が前方に突き出して形成された止水部材押え板を介して行う構成としたので、前方に突き出す押え部が形成された止水部材押え板をアンカー部材に締め付けることで、可撓止水部材の位置決めと抜け出しを防止することができ、直接アンカー部材に締め付ける場合に比べ、ボルト孔の位置合わせの必要もなく可撓止水部材の取り付けを容易にすることができる。
【００３１】
また、この発明の請求項６記載の暗渠の耐水圧可撓継手によれば、前記段差部の前記暗渠内周側に、カバー部材を設けるようにしたので、暗渠内を流れる液体などをシールして下水道管路などとして使用することもできる。
【００３２】
さらに、この発明の請求項７記載の暗渠の耐水圧可撓継手によれば、前記シール材が、ゴムなどの弾性材、非加硫ブチルゴムシート、水膨張ゴムのいずれかで構成したので、コンクリートと取付枠体との間の止水性を向上することができる。
【発明を実施するための最良の形態】
【００３４】
以下、この発明の実施の形態について図面を参照して詳細に説明する。  
図１〜図３は、この発明の暗渠の耐水圧可撓継手の一実施の形態にかかり、図１は暗渠の底辺部分の施工途中の断面図および完成状態の断面図、図２は取付枠体の正面図、図３は可撓止水部材の正面図、カバー部材の正面図、止水部材の押え板の正面図および側面図である。
【００３５】
この耐水圧可撓継手１０が使用される暗渠は、例えばボックスカルバート型の暗渠で、捨石基盤上にコンクリートを打設することで断面を正方形に形成され、この耐水圧可撓継手１０により接続される。
【００３６】
この耐水圧可撓継手１０で接続するため、相対向する暗渠１１の端部の内周面にそれぞれ段差部１２が形成されており、この段差部１２の端面１３に環状で板状の取付枠体１４が暗渠１１に埋設固定されたアンカー部材１５にボルト１６で取り付けられる。
【００３７】
この環状で板状の取付枠体１４は、図２に示すように、暗渠１１の横断面形状に対応した形状とされ、暗渠１１の内周面から例えば１５０ｍｍ程度の幅で環状に形成されて取り付けられる。
【００３８】
この取付枠体１４およびアンカー部材１５の暗渠１１への取り付け方法は、例えばアンカー部材１５のみをコンクリート打設前に設置するとともに、継手や段差部１２を形成するための型枠などを設置してコンクリートを打設し、この後、これら型枠を取り外してコンクリートに埋設固定されたアンカー部材１５にシール材１７としてゴムワッシャ１７ａおよびブチルゴムシート１７ｂを介して取付枠体１４を当て、ボルト１６で締め付けるようにする。
【００３９】
なお、コンクリートに埋設固定されたアンカー部材１５にシール材１７としてゴムワッシャ１７ａおよびブチルゴムシート１７ｂを介して取付枠体１４を当て、ボルト１６で締め付けるようにする場合には、取付枠体１４の取り付け前に段差部１２を形成する型枠を取り外すことから、コンクリートの打設にともなうエア溜まりが型枠との接触面にできても開放してシール材１７を当てることができるので、取付枠体１４の形状を段差部１２の形状に対応して環状で板状の部分に加え内周面に沿う短筒状部分を備えて一体としたものとすることもできる。
【００４０】
また、別の取付枠体１４およびアンカー部材１５の暗渠１１への取り付け方法は、例えばコンクリート打設前にアンカー部材１５を設置するとともに、継手や段差部１２を形成するための型枠とその一部分として取付枠体１４をアンカー部材１５にシール材１７としてゴムワッシャ１７ａおよびブチルゴムシート１７ｂを介してボルト１６で締め付けて設置した後、コンクリートを打設してコンクリートに埋設されるアンカー部材１５に取付枠体１４がシール材１７を介して締め付けた状態となるようにすることもできる。
【００４１】
こうして上記いずれかの方法などで一方の暗渠１１の段差部１２の形成と少なくともアンカー部材１５のコンクリートへの埋設固定が終わった後、対向するもう一方の段差部１２を形成するため、例えば図１（ａ）に示すように、打設済みのコンクリート側の取付枠体１４とともに、段差部１２の幅を規制する幅止め材１８をボルト１６で共締めするとともに、もう一方は取付枠体１４で段差部１２の端面部を、型枠プレート１９で内周面をそれぞれ形成するよう配置してアンカー部材１５にシール材１７を介してボルト１６で締め付けるように設置する。
【００４２】
この後、コンクリートを打設し、型枠プレート１９および幅止め材１８を取り外すことで、段差部１２の対向する端面にそれぞれ環状で板状の取付枠体１４がコンクリートに埋設されるアンカー部材１５にシール材１７を介して締め付けられた状態となる。
【００４３】
次に、それぞれのボルト１６を取り外した状態で、対向する取付枠体１４の内側に可撓止水部材２０を取り付ける。
【００４４】
この可撓止水部材２０は、図３（ａ）に示すように、ゴムや合成樹脂などの弾性体で略短筒状に形成され、中間部に内周側に断面Ｕ字状に形成された伸縮部２０ａを備えるとともに、この伸縮部２０ａの両側に円筒部２０ｂを介して筒状部２０ｂと直交し段差部１２の端面と平行で密着性を増大する２条の突状が形成されたフランジ部２０ｃを備えて一体に形成され、内部に補強用の補強布２０ｄが入れてある。
【００４５】
そして、可撓止水部材２０の両端部のフランジ部２０ｃの外側面がそれぞれ取付枠体１４に当てられ、止水部材押え板２１を介してアンカー部材１５にボルト１６で締め付けられる。
【００４６】
この止水部材押え板２１には、可撓止水部材２０の位置決めと抜出し防止のため一端部に細径の押え部２１ａが前方に突き出して連続して形成され、他端部には、細径のカバー押え部２１ｂが間隔をあけて形成してあり、取付枠体１４を固定する２本のボルト１６ごとに一つずつ使用して可撓止水部材２０を圧着固定するようにしてある。
【００４７】
そして、このような止水部材押え板２１を介してボルト１６で可撓止水部材２０を全周に圧着するよう取り付けた後、暗渠１１が下水道管路等として内部を下水などが流れる場合には、段差部１２の内周側を覆うカバー部材２２としてゴムや合成樹脂など内面カバーゴムを配置し、円筒側面２２ａとその両端部の外側に突き出す固定部２２ｂを止水部材押え板２１のカバー押え部２１ｂに押し込んで引っ掛けるように取り付ける。
【００４８】
なお、２３は目地部分に取り付けた目地材で、例えば発泡ゴムなどで作られたものが用いられる。
【００４９】
このように構成した暗渠の耐水圧可撓継手１０では、取付枠体１４の配置が、暗渠１１の内周面に対して垂直方向としてあり、地表面に対して垂直面となっているので、コンクリートの打設によるエアが内側面に溜まることがなく、エア溜まりを介して漏水が生じることを防止できる。
【００５０】
また、取付枠体１４とコンクリートとの接触面の間にシール材１７を介してアンカー部材１５にボルト１６で締め付けるようにしており、コンクリートと型枠のように接するだけでなく、締付け力を加えて接触面圧を発生させることができ、シール材１７とともに、完全に漏水を防止することができる。
【００５１】
このような取付枠体１４とコンクリートとの接触面の漏水防止効果に加え、取付枠体１４の内側に配置される可撓止水部材２０も止水部材押え板２１をボルト１６を介して締め付けることで、接触面圧を発生させて取り付けることができ、水の浸入を完全に防止することができる。
【００５２】
したがって、この暗渠の耐水圧可撓継手１０によれば、高深度で高水圧下に設置しても取付枠体１４の両側の接触面圧を高くすることができ、漏水や水の浸入を抑えて耐水圧性を大幅に高めることができる。
【００５３】
これにより、取付枠体１４やボルト１６など継手の構成部材の錆の進行を抑えることができる。
【００５４】
なお、上記実施の形態では、取付枠体をアンカー部材にシール材としてのゴムワッシャとブチルシートを介してボルトで締め付けて取付枠体とコンクリートとの接触面をシールするようにしたが、シール材１７Ａとしては、図４（ａ）に示すように、取付枠体１４にゴムなどの弾性材を全面に取り付けて構成したり、同図（ｂ）に示すように、シール材１７Ｂとして水膨張ゴムを取付枠体１４に取り付けるようにしても良い。
【００５５】
また、上記実施の形態では、アンカー部材を円周上一列設けて取付枠体を取り付けるようにしたが、図５に示すように、内外周２列のアンカー部材を設けるとともに、取付枠体１４にも２列のボルト孔を形成してアンカー部材１５に圧着固定するようにしても良く、一層接触面圧を高めて設置することができる。
【００５６】
さらに、図示省略したが、暗渠１１の段差部１２の端面を暗渠１１の内周面に対して垂直な平行面で構成したが、これに限らず段差部１２の端面を暗渠１１の内周側が広く、外周側が狭い傾斜面で構成しても良く、このような傾斜面としても取付枠体１４の設置位置にかかわらず、コンクリートの打設にともなうエアが取付枠体内側がに溜まることなく、取付枠体に沿って上方に排出することができ、コンクリートとの密着性を向上して構造的に漏水などを防止することができる。
【００５７】
また、上記実施の形態では、暗渠の継手部分のコンクリートを現場で打設して構築する場合を例に説明したが、工場でコンクリートを打設して中間部にこの暗渠の耐水圧可撓継手１０を備える暗渠継手部を製作しておき、現場では、両端部に継手を介することなく暗渠を接続するようにすることもできる。
【図面の簡単な説明】
【００５８】
【図１】この発明の暗渠の耐水圧可撓継手の一実施の形態にかかる暗渠の底辺部分の施工途中の断面図および完成状態の断面図である。
【図２】この発明の暗渠の耐水圧可撓継手の一実施の形態に取付枠体の正面図、である。
【図３】この発明の暗渠の耐水圧可撓継手の一実施の形態に可撓止水部材の正面図、カバー部材の正面図、止水部材の押え板の正面図および側面図である。
【図４】この発明の暗渠の耐水圧可撓継手のそれぞれ他の一実施の形態にかかる暗渠の完成状態の断面図である。
【図５】この発明の暗渠の耐水圧可撓継手の一実施の形態にかかる暗渠の完成状態の断面図である。
【図６】従来の暗渠の断面図およびその可撓継手の底辺部分の断面図である。
【符号の説明】
【００５９】
１０            耐水圧可撓継手
１１            暗渠
１２            段差部
１３            端面
１４            取付枠体
１５            アンカー部材
１６            ボルト
１７            シール材
１７ａ          ゴムワッシャ
１７ｂ          ブチルゴムシート
１７Ａ          シール材
１７Ｂ          シール材
１８            幅止め材
１９            型枠プレート
２０            可撓止水部材
２０ａ          伸縮部
２０ｂ          円筒部
２０ｃ          フランジ部
２１            止水部材押え板
２１ａ          押え部
２１ｂ          カバー押え部
２２            カバー部材
２２ａ          円筒側面
２２ｂ          固定部
２３            目地材
【図１】
0004567564.tif 000002
【図２】
0004567564.tif 000003
【図３】
0004567564.tif 000004
【図４】
0004567564.tif 000005
【図５】
0004567564.tif 000006
【図６】
0004567564.tif 000007